(57)【要約】【課題】入力装置における視認性を適切に制御することができる入力装置を提供する。【解決手段】入力装置１００は、透光性を有し、かつ暗色に着色された押圧部１１１と、押圧部１１１の背面側に配置されるハーフミラー部１１３と、押圧部１１１よりも光の透過率が低い遮光部１４１を有し、その遮光部１４１の配置および形状に応じた意匠を構成する、ハーフミラー部１１３の背面側に配される意匠表示部１４０と、意匠表示部１４０の背面側を照らすＬＥＤ１３２と、押圧部１１１が押圧されることによってオンまたはオフされるスイッチ１３１とを備える。【選択図】図４
2017162686.tif 000002
【特許請求の範囲】
【請求項１】
透光性を有し、かつ暗色に着色された押圧部と、
前記押圧部の背面側に配置されるハーフミラー部と、
前記押圧部よりも光の透過率が低い遮光部を有し、前記遮光部の配置および形状に応じた意匠を構成する、前記ハーフミラー部の背面側に配置される意匠表示部と、
前記意匠表示部を背面側から照らす光源と、
前記押圧部が押圧されることによってオンまたはオフされるスイッチと、
を備える入力装置。
【請求項２】
前記暗色は黒色系暗色である
請求項１に記載の入力装置。
【請求項３】
前記押圧部は、透光性を有する基材の表面に着色層を形成することによって暗色に着色されている
請求項１に記載の入力装置。
【請求項４】
前記ハーフミラー部は、前記押圧部の背面に形成されたハーフミラー層からなる
請求項１に記載の入力装置。
【請求項５】
前記意匠表示部は、前記ハーフミラー部の背面に、前記遮光部として形成された黒色系暗色の意匠表示層からなる
請求項１に記載の入力装置。
【請求項６】
前記光源と前記スイッチは、同一の配線基板に実装されている
請求項１に記載の入力装置。
【発明の詳細な説明】
【技術分野】
【０００１】
本発明は、ユーザによる押圧によって操作される入力装置に関する。
【背景技術】
【０００２】
従来、スイッチノブに形成された文字または図形などの意匠を、そのスイッチノブの内側から照らし出す入力装置（照光表示スイッチ装置）が提案されている（例えば、特許文献１参照）。この特許文献１に記載の入力装置では、光源からの出射光は、透光性樹脂によって成形された導光体を介して、意匠を形成する照明マークに導かれる。これにより、その照明マーク、つまり意匠が発光する。
【先行技術文献】
【特許文献】
【０００３】
【特許文献１】特開２０１３−２５４５９７号公報
【発明の概要】
【発明が解決しようとする課題】
【０００４】
しかしながら、上記特許文献１に記載の入力装置では、光源が消灯していても、つまり意匠を表示させる必要がないときにも、その意匠が見えてしまうという問題がある。つまり、上記特許文献１に記載の入力装置では、入力装置における視認性の制御を適切に行うことができない。
【０００５】
そこで、本発明は、入力装置における視認性を適切に制御することができる入力装置を提供する。
【課題を解決するための手段】
【０００６】
本発明の一態様に係る入力装置は、透光性を有し、かつ暗色に着色された押圧部と、前記押圧部の背面側に配置されるハーフミラー部と、前記押圧部よりも光の透過率が低い遮光部を有し、前記遮光部の配置および形状に応じた意匠を構成する、前記ハーフミラー部の背面側に配置される意匠表示部と、前記意匠表示部を背面側から照らす光源と、前記押圧部が押圧されることによってオンまたはオフされるスイッチと、を備える。
【０００７】
なお、この包括的または具体的な態様は、装置に限らず、システムまたは方法によって実現されてもよい。
【発明の効果】
【０００８】
本発明の入力装置は、入力装置における視認性を適切に制御することができる。
【図面の簡単な説明】
【０００９】
【図１】図１は、実施の形態における入力装置が配置された車両の車室の一例を示す図である。
【図２】図２は、実施の形態における入力装置の正面図である。
【図３】図３は、実施の形態における入力装置の分解斜視図である。
【図４】図４は、実施の形態における入力装置の概略的な側面断面図である。
【図５】図５は、実施の形態の変形例に係る入力装置の概略的な側面断面図である。
【発明を実施するための形態】
【００１０】
（本発明の基礎となった知見）
本発明者は、「背景技術」の欄において記載した特許文献１に関し、以下の問題が生じることを見出した。
【００１１】
上述のように、特許文献１の入力装置では、光源を消灯させていても、つまり意匠を表示させる必要がないときにも、その意匠が見えてしまう。これを防ぐために、透光性を有する黒色の板またはシートなどのスモーク部材を入力装置の表面に取り付けることが考えられる。この取り付けによって、意匠である照明マークがスモーク部材で覆われるため、光源を消灯させていれば、入力装置におけるスモーク部材よりも内側にある意匠が見えてしまうことを抑えることができる。しかし、このようなスモーク部材を取り付けると、光源を点灯させて意匠を発光させても、スモーク部材を介して入力装置の前面に現れるその意匠は暗くなってしまう。つまり、単純にスモーク部材を取り付けても、光源の消灯時と点灯時とで入力装置における視認性を適切に制御することができない。
【００１２】
また、車両に搭載されたオーディオ機器等を操作するための入力装置は、運転者が車両を運転しながらでも操作できるように、例えば、車両のステアリングホイールに配置される。このような入力装置は、車両のフロントガラスまたはサイドガラスを介して太陽光などの強い外光を受けることがある。このような入力装置に、上記特許文献１の入力装置を適用し、さらに、その入力装置に単純にスモーク部材を取り付けても、入力装置が強い外光を受けた場合には、入力装置の中の意匠を含む機構が見え易くなってしまう。したがって、入力装置の中を見え難くするために、スモーク部材の厚みを厚くすることによって、あるいは、スモーク部材の色を濃くすることによって、外光が入力装置の中に入り難くする必要がある。しかし、それによって、逆に、光源を点灯させた場合には、発光している意匠が暗くなり、意匠の視認性が低下してしまうという問題がある。つまり、入力装置の中を見え難くしようとすると、発光している意匠が見え難くなり、発光している意匠を見易くしようとすれば、入力装置の中が見え易くなってしまう。なお、車両のステアリングホイールに配置される入力装置では、入力装置の中の機構または意匠が不必要なときに見えてしまうと、運転者が入力装置に気を取られてしまい、車両の状況に関する迅速な判断が鈍ってしまうことがある。
【００１３】
このような問題を解決するために、本発明の一態様に係る入力装置は、透光性を有し、かつ暗色に着色された押圧部と、前記押圧部の背面側に配置されるハーフミラー部と、前記押圧部よりも光の透過率が低い遮光部を有し、前記遮光部の配置および形状に応じた意匠を構成する、前記ハーフミラー部の背面側に配置される意匠表示部と、前記意匠表示部を背面側から照らす光源と、前記押圧部が押圧されることによってオンまたはオフされるスイッチと、を備える。
【００１４】
これにより、押圧部およびハーフミラー部は光を透過するため、光源を点灯させたときには、その光源からの光を、意匠表示部、ハーフミラー部および押圧部を介して、入力装置の前面側に放つことができる。つまり、光源を点灯させれば、意匠表示部によって構成される意匠を明るく表示することができる。また、押圧部の背面側にハーフミラー部が配置されているため、入力装置の前面側から入射する外光は、押圧部を透過しても、ハーフミラー部によって反射される。したがって、入力装置の中の意匠表示部などの機構にまでその外光が届くことを抑えることができる。その結果、光源が点灯しているときは、発光している意匠を明るく表示させることができるとともに、光源が消灯しているときには、入力装置の中を見え難くすることができ、入力装置における視認性の制御を適切に行うことができる。つまり、押圧部は、上述のスモーク部材に相当するが、その押圧部を厚くしたり、押圧部の色を濃くすることなく、ハーフミラー部によって、入力装置の中を見え難くすることができる。言い換えれば、押圧部の厚みまたは色を薄くすることができる。また、ハーフミラー部は、光源からの光がハーフミラー部を透過しても、その光の減衰を抑えることができる。これにより、発光している意匠を明るく表示することができる。つまり、光源が点灯しているときには、光源の明るさを、意匠の明るさに効率よく反映することができ、意匠の視認性を向上することができる。また、光源が消灯しているときには、押圧部が暗色に着色されているため、ハーフミラー部のミラー特有の光沢を抑えることができる。
【００１５】
例えば、前記暗色は黒色系暗色であってもよい。
【００１６】
これにより、発光している意匠のコントラストを明瞭にすることができるとともに、入力装置の中をより見難くすることができる。つまり、入力装置における視認性をより適切に制御することができる。
【００１７】
また、前記押圧部は、透光性を有する基材の表面に着色層を形成することによって暗色に着色されていてもよい。
【００１８】
これにより、形成される着色層の厚みまたは色を調整することによって、暗色の程度を容易に設定することができる。したがって、発光している意匠の明るさと、入力装置の中を見え難くする度合いとのバランスを、容易に調整することができる。
【００１９】
また、前記ハーフミラー部は、前記押圧部の背面に形成されたハーフミラー層からなっていてもよい。
【００２０】
これにより、ハーフミラー部が押圧部に一体化されるため、入力装置の部品点数を削減することができ、入力装置の構成を簡略化することができる。
【００２１】
また、前記意匠表示部は、前記ハーフミラー部の背面に、前記遮光部として形成された黒色系暗色の意匠表示層からなっていてもよい。
【００２２】
これにより、意匠表示部がハーフミラー部に一体化されるため、入力装置の部品点数を削減することができ、入力装置の構成を簡略化することができる。また、意匠表示層は黒色系暗色であるため、意匠表示層による光の反射を抑えることができる。その結果、不必要な部位に光が照射されることを防ぐことができ、発光している意匠のみを明瞭に表示することができる。
【００２３】
また、前記光源と前記スイッチは、同一の配線基板に実装されていてもよい。
【００２４】
これにより、同一の配線基板に光源とスイッチとが実装されているため、入力装置の構成を簡略化することができる。
【００２５】
なお、これらの包括的または具体的な態様は、装置に限らず、システムまたは方法によって実現されてもよい。
【００２６】
以下、本発明の実施の形態について、図面を参照しながら具体的に説明する。
【００２７】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２８】
また、各図は、模式図であり、必ずしも厳密に図示されたものではない。また、各図において、同じ構成部材については同じ符号を付している。
【００２９】
（実施の形態）
図１は、実施の形態における入力装置が配置された車両の車室の一例を示す図である。
【００３０】
図１に示すように、入力装置１００は、例えば、車両である自動車４のステアリングホイール８に備えられている。ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。入力装置１００は、例えば、このようなステアリングホイール８のスポーク１４の右側に配置されている。
【００３１】
入力装置１００は、ユーザによる押圧によって操作され、その操作に応じた入力信号を、自動車４に備えられている車載機器６などに出力する。例えば、ユーザである運転者は、リム１２を握っている右手の指で入力装置１００を押圧する。これにより、入力装置１００は、入力信号を車載機器６に出力し、車載機器６を制御することができる。
【００３２】
車載機器６は、例えばダッシュボード２０内に配置されている。このような車載機器６は、例えばコンパクトディスク等の光ディスクを再生するためのオーディオ機能と、自動車４の状態、運転状況または交通状況などの情報を提示する情報提示機能とを有する。また、車載機器６は、オーディオ機能または情報提示機能に応じた音または音声を、スピーカ６６から出力させる。
【００３３】
図２は、入力装置１００の正面図である。
【００３４】
入力装置１００は、ユーザによって押圧される略矩形平板状の押圧部１１１と、その押圧部１１１の周囲を支持する略矩形枠状のフレーム１１２とを備える。また、入力装置１００は、光源を内蔵し、その光源を点灯させることによって、押圧部１１１よりも奥（背面側）にある意匠ｄ１〜ｄ６を発光させる。押圧部１１１は、いわゆるスモーク部材であって、透光性を有し、かつ暗色に着色されている。より具体的には、押圧部１１１は、黒色系暗色に着色された樹脂材料によって成形されている。
【００３５】
したがって、上述の光源が点灯すると、その発光する意匠ｄ１〜ｄ６の光は押圧部１１１を介して入力装置１００の前面側（図２の紙面手前側）に放たれる。これにより、意匠ｄ１〜ｄ６は、入力装置１００の前面に高いコントラストで明るく表示される。また、光源が消灯しているときには、押圧部１１１の黒色系暗色と、後述するハーフミラー部とによって、入力装置１００の中の意匠ｄ１〜ｄ６を見え難くすることができる。
【００３６】
なお、意匠ｄ１は、車載機器６によって再生される音楽を一曲戻すことを示し、意匠ｄ６は、車載機器６によって再生される音楽を一曲進めることを示す。意匠ｄ４は、車載機器６によってスピーカ６６から出力される音または音声の音量を上げることを示し、意匠ｄ３は、車載機器６によってスピーカ６６から出力される音または音声の音量を下げることを示す。また、意匠ｄ５は、車載機器６によるオーディオ再生を示し、意匠ｄ２は、車載機器６による運転状況などの情報提示を示す。
【００３７】
ユーザは、例えば、入力装置１００の押圧部１１１における意匠ｄ５の部位を押圧する。このとき、入力装置１００は、その意匠ｄ５に応じた操作を受け付ける。つまり、入力装置１００は、オーディオ再生の操作を受け付ける。その結果、入力装置１００は、オーディオ再生を指示する入力信号を車載機器６に出力する。車載機器６は、その入力信号を取得すると、オーディオ再生を開始し、スピーカ６６から音声を出力する。
【００３８】
図３は、入力装置１００の分解斜視図である。なお、本実施の形態では、入力装置１００の押圧部１１１においてユーザによる押圧（または操作）を受ける面を前面と称する。また、その前面に対して垂直な方向において、その前面から入力装置１００の外部に向かう向きを前面側と称し、その前面から入力装置１００の内部に向かう方向を背面側と称す。
【００３９】
入力装置１００は、上述の押圧部１１１およびフレーム１１２を有する操作部１１０と、実装基板１３０と、上述の意匠ｄ１〜ｄ６のそれぞれを形成する複数の意匠シート（意匠表示部の一例）１４０と、複数の意匠シート１４０を保持するボディ１２０と、ボディ１２０に保持される複数の意匠シート１４０を固定するためのシート固定部１５０とを備える。
【００４０】
実装基板１３０は、配線基板１３３と、その配線基板１３３に実装されたスイッチ１３１および複数のＬＥＤ（Ｌｉｇｈｔ  Ｅｍｉｔｔｉｎｇ  Ｄｉｏｄｅ）１３２と、制御部（図示せず）を備える。スイッチ１３１は、例えば実装基板１３０に対して垂直方向に押圧される機械式のスイッチであり、例えばタクタイルスイッチとして構成されている。スイッチ１３１は、押圧されると、上述の制御部にオン信号を出力する。複数のＬＥＤ１３２のそれぞれは上述の光源であって、点灯すると、意匠ｄ１〜ｄ６のうちのそのＬＥＤ１３２に対応する意匠を発光させる。
【００４１】
ボディ１２０は、例えば非透光性の樹脂材料によって成形された部材であって、このボディ１２０には、実装基板１３０の複数のＬＥＤ１３２のそれぞれの光を前面側に導出するための複数の貫通孔１２１が形成されている。このようなボディ１２０は、実装基板１３０の複数のＬＥＤ１３２のそれぞれが貫通孔１２１の背面側開口部に対向するように、実装基板１３０の前面側に配置される。また、このように配置された場合には、ボディ１２０の背面に形成されている突起（図４に示す突起１２２）が、実装基板１３０のスイッチ１３１に対向する。
【００４２】
複数の意匠シート１４０のそれぞれは、略矩形状のシートであって、押圧部１１１よりも光の透過率が低い遮光部を有し、その遮光部の配置および形状に応じた意匠（意匠ｄ１〜ｄ６）を構成する。例えば、意匠シート１４０は、透光性の樹脂材料によって成形されたベースシートに黒印刷を行うことによって生成されている。この黒印刷によって形成される黒印刷層が上述の遮光部である。つまり、ベースシートにおいて黒印刷されていない部分の形状が意匠として現れる。なお、黒印刷層は、上述の遮光部の一例である。遮光部は、黒印刷層に限らず、ベースシートに貼り付けられるシールまたは膜でもよく、スパッタリングまたは蒸着によって形成されてもよい。
【００４３】
これらの複数の意匠シート１４０のそれぞれは、ボディ１２０の貫通孔１２１の前面側開口部を覆うように載置される。具体的には、ボディ１２０の貫通孔１２１の前面側開口部を含む範囲には、略矩形状の凹部が形成されている。意匠シート１４０は、その凹部の中に配置される。これによって、意匠シート１４０がボディ１２０によって保持される。
【００４４】
シート固定部１５０は、非透光性の樹脂材料によって略矩形板状に成形されている。また、シート固定部１５０には、複数の略矩形状の露出孔１５１が形成されている。このシート固定部１５０は、ボディ１２０の前面側を覆うようにそのボディ１２０に取り付けられる。このとき、シート固定部１５０は、ボディ１２０に配置された複数の意匠シート１４０のそれぞれが露出孔１５１から露出した状態で、その意匠シート１４０を固定する。
【００４５】
操作部１１０は、押圧部１１１がそのシート固定部１５０の前面を覆うようにボディ１２０に取り付けられる。
【００４６】
このような入力装置１００では、操作部１１０の押圧部１１１がユーザによって押圧されると、ボディ１２０が実装基板１３０側に押し込まれる。このとき、ボディ１２０の背面に形成されている上述の突起が、実装基板１３０のスイッチ１３１を押圧する。これによって、オン信号が制御部に出力される。また、押圧部１１１の背面側には、静電容量センサである透明電極膜（図４に示す透明電極膜１１４）が配置されている。この透明電極膜は、押圧部１１１において押圧された部位を検出して、その部位を示す検出信号を制御部に出力する。制御部は、上述のオン信号および検出信号に応じた入力信号を生成して、その入力信号を車載機器６に出力する。つまり、制御部は、意匠ｄ１〜ｄ６の何れが押圧されたかを示す入力信号を出力する。
【００４７】
図４は、入力装置１００の概略的な側面断面図である。なお、図４では、説明を分かりやすくするためにシート固定部１５０を省略し、ボディ１２０などを簡略化している。
【００４８】
本実施の形態における操作部１１０は、上述のように押圧部１１１およびフレーム１１２と、静電容量センサである透明電極膜１１４とを備えるとともに、押圧部１１１の背面側に配置されるハーフミラー部１１３を備える。また、意匠シート１４０は、透光性を有するベースシート１４２と、そのベースシート１４２への黒印刷によって形成された黒印刷層１４１とを有する。ＬＥＤ１３２から出射された光は、ボディ１２０の背面側から、そのボディ１２０の貫通孔１２１を通って、意匠シート１４０に照射される。この意匠シート１４０に照射された光のうち、黒印刷層１４１が形成されていない部分を通り抜けた光だけが意匠シート１４０の前面側に出射される。そして、その光は、透明電極膜１１４、ハーフミラー部１１３および押圧部１１１を透過して、入力装置１００の前面側に出射される。これにより、入力装置１００の押圧部１１１の前面において意匠ｄ１〜ｄ６が発光する。一方、意匠シート１４０の黒印刷層１４１に照射された光は、その黒印刷層１４１によって遮蔽または吸収されるため、入力装置１００の前面側に出射されない。
【００４９】
また、太陽光などの外光が押圧部１１１の前面に照射されたときには、その外光は押圧部１１１を透過してもハーフミラー部１１３によって反射される。したがって、入力装置１００の中、つまり、ハーフミラー部１１３よりも背面側に入る外光を抑えることができるため、入力装置１００の中を見えに難くすることができる。さらに、押圧部１１１が暗色に着色されているため、ハーフミラー部１１３のミラー特有の光沢を抑えることができる。
【００５０】
このように、本実施の形態における入力装置１００は、透光性を有し、かつ暗色に着色された押圧部１１１と、押圧部１１１の背面側に配置されるハーフミラー部１１３と、押圧部１１１よりも光の透過率が低い遮光部である黒印刷層１４１を有し、黒印刷層１４１の配置および形状に応じた意匠ｄ１〜ｄ４の何れかを構成する、ハーフミラー部１１３の背面側に配置される意匠表示部である意匠シート１４０と、意匠シート１４０を背面側から照らす光源であるＬＥＤ１３２と、押圧部１１１が押圧されることによってオンまたはオフされるスイッチ１３１とを備える。
【００５１】
これにより、押圧部１１１およびハーフミラー部１１３は光を透過するため、ＬＥＤ１３２が点灯にしたときには、そのＬＥＤ１３２からの光を、意匠シート１４０、ハーフミラー部１１３および押圧部１１１を介して、入力装置１００の前面側に放つことができる。つまり、ＬＥＤ１３２が点灯すれば、意匠シート１４０によって構成される意匠を明るく表示することができる。また、押圧部１１１の背面側にハーフミラー部１１３が配置されているため、入力装置１００の前面側から入射する外光は、押圧部１１１を透過しても、ハーフミラー部１１３によって反射される。したがって、入力装置１００の中の意匠シート１４０などの機構にまでその外光が届くことを抑えることができる。その結果、ＬＥＤ１３２が点灯しているときには、発光している意匠ｄ１〜ｄ６を明るく表示させることができるとともに、ＬＥＤ１３２が消灯しているときには、入力装置１００の中を見え難くすることができ、入力装置１００における視認性の制御を適切に行うことができる。つまり、押圧部１１１は、上述のスモーク部材に相当するが、その押圧部１１１を厚くしたり、押圧部１１１の色を濃くすることなく、ハーフミラー部１１３によって、入力装置１００の中を見え難くすることができる。言い換えれば、押圧部１１１の厚みまたは色を薄くすることができる。また、ハーフミラー部１１３は、ＬＥＤ１３２からの光がハーフミラー部１１３を透過しても、その光の減衰を抑えることができる。これにより、発光している意匠ｄ１〜ｄ６を明るく表示することができる。つまり、ＬＥＤ１３２が点灯しているときには、ＬＥＤ１３２の明るさを、意匠ｄ１〜ｄ６の明るさに効率よく反映することができ、意匠ｄ１〜ｄ６の視認性を向上することができる。また、ＬＥＤ１３２が消灯しているときには、押圧部１１１が暗色に着色されているため、ハーフミラー部１１３のミラー特有の光沢を抑えることができる。
【００５２】
なお、特許文献である特許第５２９５５３２号公報では、透明基板および着色層とハーフミラー層とを有する文字板が開示されている。この特許文献では、外光をハーフミラー層に反射させることによって、文字板の中に外光が入り込むことを抑えている。ここで、この特許文献における文字板は、ハーフミラー層による外光の反射によって文字板を金属調に見せ、着色層の色によって金属感を向上している。つまり、上述の透明基板および着色層は、透光性を有するが暗色には着色されていない。本実施の形態における入力装置１００では、押圧部１１１が透光性を有し、かつ暗色に着色されている。したがって、本実施の形態では、ハーフミラー部１１３に反射された外光は、押圧部１１１において吸収されるため、ＬＥＤ１３２が消灯しているときには、その押圧部１１１の前面が金属調に見えることはない。例えば、太陽光などの強い外光が上記特許文献の文字板に照射されると、ユーザにその文字板を金属調に見せることができるが、そのユーザに強い反射光を当ててしまうことになる。しかし、本実施の形態では、押圧部１１１が暗色に着色されているため入力装置１００を金属調に見せることがなく、ユーザに強い反射光を当ててしまうことも抑えることができる。
【００５３】
また、本実施の形態では、押圧部１１１の暗色が黒色系暗色であるため、発光している意匠ｄ１〜ｄ６のコントラストを明瞭にすることができるとともに、入力装置１００の中をより見難くすることができる。つまり、入力装置１００における視認性をより適切に制御することができる。
【００５４】
また、本実施の形態では、複数のＬＥＤ１３２とスイッチ１３１が同一の配線基板１３３に実装されているため、入力装置１００の構成を簡略化することができる。
【００５５】
（変形例）
図５は、上記実施の形態の変形例に係る入力装置１００の概略的な側面断面図である。
【００５６】
上記実施の形態における入力装置１００では、押圧部１１１は、暗色に着色された樹脂材料からなる。しかし、本変形例に係る入力装置１００の押圧部１１１は、着色されていない透光性を有する樹脂材料からなる略矩形板状の基材１１１ｂと、その基材１１１ｂの表面に形成された着色層１１１ａとを備える。つまり、本変形例に係る押圧部１１１は、透光性を有する基材１１１ｂの表面に着色層１１１ａを形成することによって暗色に着色されている。これにより、形成される着色層１１１ａの厚みまたは色を調整することによって、暗色の程度を容易に設定することができる。したがって、発光している意匠の明るさと、入力装置１００の中を見え難くする度合いとのバランスを、容易に調整することができる。さらに、着色層１１１ａがあるため、ハーフミラー部１１３のミラー特有の光沢をさらに抑えた外観を実現することができる。
【００５７】
また、上記実施の形態における入力装置１００では、ベースシート１４２に黒印刷されて生成された意匠シート１４０が意匠表示部として構成されている。しかし、本変形例に係る入力装置１００では、意匠表示部は、ハーフミラー部１１３の背面に、遮光部として形成された黒色系暗色の意匠表示層である黒印刷層１４１として構成されている。この黒印刷層１４１は、例えば、ハーフミラー部１１３の背面に黒印刷することによって形成される。なお、意匠表示層は、黒印刷層１４１に限らず、ハーフミラー部１１３の背面に対してスパッタリングまたは蒸着によって形成された層であってもよい。これにより、意匠表示部、つまり意匠表示層である黒印刷層１４１がハーフミラー部に一体化されるため、ベースシート１４２を省くことができる。その結果、入力装置１００の部品点数を削減することができ、入力装置１００の構成を簡略化することができる。また、意匠表示層である黒印刷層１４１は黒色系暗色であるため、黒印刷層１４１による光の反射を抑えることができる。その結果、不必要な部位に光が照射されることを防ぐことができ、発光している意匠のみを明瞭に表示することができる。
【００５８】
また、本変形例におけるハーフミラー部１１３は、押圧部１１１の背面に形成されたハーフミラー層からなる。これにより、ハーフミラー部１１３が押圧部１１１に一体化されるため、入力装置１００の部品点数を削減することができ、入力装置１００の構成を簡略化することができる。
【００５９】
以上、本発明の一つまたは複数の態様に係る入力装置について、実施の形態およびその変形例に基づいて説明したが、本発明は、この実施の形態および変形例に限定されるものではない。本発明の趣旨を逸脱しない限り、当業者が思いつく各種変形を本実施の形態または変形例に施したものや、実施の形態および変形例における構成要素を組み合わせて構築される形態も、本発明の範囲内に含まれてもよい。
【００６０】
例えば、上記実施の形態およびその変形例における入力装置１００は、車両に配置されているが、車両以外の場所に配置されていてもよい。また、入力装置１００の入力信号によって制御される機器は、車載機器６に限らず、どのような機器であってもよい。例えば、入力装置１００は、エアコンなどの機器を制御する装置であってもよい。
【００６１】
また、上記実施の形態およびその変形例では、押圧部１１１は、黒色系暗色に着色されているが、黒色系以外の暗色に着色されていてもよい。例えば、押圧部１１１は、濃茶色系または濃青色系の暗色に着色されていてもよい。
【００６２】
また、上記実施の形態の変形例では、押圧部１１１の着色層１１１ａは、基材１１１ｂの前面に形成されているが、基材１１１ｂの表面に形成されていればよく、基材１１１ｂの背面に形成されていてもよい。
【００６３】
また、上記実施の形態における意匠シート１４０の黒印刷層１４１は、黒色系暗色であるが、黒色系暗色に限らず、遮光性を有する層であれば、どのような色であってもよい。
【００６４】
また、上記実施の形態およびその変形例における、操作部１１０の押圧部１１１およびフレーム１１２は、一体化されていてもよく、別体として配置されていてもよい。
【００６５】
また、上記実施の形態およびその変形例におけるスイッチ１３１は、押圧されたときにオンになるが、押圧されたときにオフになってもよい。また、スイッチ１３１は、押圧されるごとに、オンとオフとを切り換えてもよい。
【００６６】
また、上記実施の形態およびその変形例における入力装置１００は、スイッチ１３１を１つだけ備えているが、意匠ｄ１〜ｄ６の数だけそれらの意匠に対応するスイッチ１３１を備えてもよい。この場合には、透明電極膜１１４を省くことができる。
【００６７】
また、上記実施の形態およびその変形例における入力装置１００の正面（あるいは前面）の形状は略矩形であるが、その形状は矩形に限らず、円形または楕円形であってもよい。
【００６８】
また、上記実施の形態およびその変形例における入力装置１００の、実装基板１３０を除く各構成要素は主に樹脂材料によって成形されているが、金属またはガラスなどによって形成されていてもよい。
【産業上の利用可能性】
【００６９】
本発明の入力装置は、入力装置における視認性を適切に制御することができるという効果を奏し、例えば、ユーザによる操作に応じて車載機器などに信号を出力する入力装置に適用することができる。
【符号の説明】
【００７０】
４    自動車
６    車載機器
８    ステアリングホイール
１２    リム
１４    スポーク
１６    ホーンスイッチカバー
２０    ダッシュボード
６６    スピーカ
１００    入力装置
１１０    操作部
１１１    押圧部
１１１ａ    着色層
１１１ｂ    基材
１１２    フレーム
１１３    ハーフミラー部
１１４    透明電極膜
１２０    ボディ
１２１    貫通孔
１２２    突起
１３０    実装基板
１３１    スイッチ
１３２    ＬＥＤ（光源）
１３３    配線基板
１５０    シート固定部
１５１    露出孔
１４０    意匠シート（意匠表示部）
１４１    黒印刷層（遮光部）
１４２    ベースシート
ｄ１〜ｄ６    意匠
【図１】
2017162686.tif 000003
【図２】
2017162686.tif 000004
【図３】
2017162686.tif 000005
【図４】
2017162686.tif 000006
【図５】
2017162686.tif 000007